(57)【要約】【課題】縦板材と一方の当接部材との交差角部及び鞘状材と他方の当接部材との交差角部に引き出しの底面に載置可能な設置面材を設けているから、可動部材及び固定部材の起立の安定性を向上することができ、仕切部材の設置の安定性を高めることができ、引き出し内の仕切を確実に行うことができる。【解決手段】仕切部材１は縦板材２ａからなる可動部材２及び鞘状材３ａからなる固定部材３の二部材からなり、縦板材と一方の当接部材２ｂとの交差角部及び鞘状材と他方の当接部材３ｂとの交差角部にそれぞれ引き出しの底面に載置可能な左右一対の設置面材２ｃ・２ｃ・３ｃ・３ｃを設けてなる。【選択図】図１
0003193975.tif 000002
【実用新案登録請求の範囲】
【請求項１】
上面が開口する四角箱状の引き出しの対向する内面間に架設され、該引き出し内の収納空間を仕切るための仕切部材を備えてなり、上記仕切部材は縦板材からなる可動部材及び鞘状材からなる固定部材の二部材からなり、該縦板材と該鞘状材との内方端部同士の嵌合により該可動部材は該固定部材に伸縮移動自在に設けられ、該可動部材の縦板材の外方端部及び該固定部材の鞘状材の外方端部にそれぞれ上記引き出しの内面に当接可能な一対の当接部材を設け、該固定部材の鞘状材内に該可動部材及び該固定部材を外方に弾圧可能なバネ部材を内装配置し、該縦板材と一方の当接部材との交差角部及び該鞘状材と他方の当接部材との交差角部にそれぞれ引き出しの底面に載置可能な左右一対の設置面材を設けてなることを特徴とする引き出し用仕切具。
【請求項２】
上記左右一対の設置面材はそれぞれ略三角板状材からなることを特徴とする請求項１記載の引き出し用仕切具。
【請求項３】
上記可動部材と上記固定部材との伸長限度を規制する位置規制機構を設けてなることを特徴とする請求項１又は２記載の引き出し用仕切具。
【請求項４】
上記位置規制機構として、上記固定部材の上記鞘状材は左右一対の側面材及び上下の水平面材からなり、該側面材に係止穴部を形成し、上記可動部材の縦板材に弾性片部を形成すると共に該弾性片部に該係止穴部に係脱可能な嵌脱凸部を形成してなることを特徴とする請求項３記載の引き出し用仕切具。
【請求項５】
上記バネ部材は上記鞘状材に内装可能な波状の帯板材からなることを特徴とする請求項１〜４のいずれか１項に記載の引き出し用仕切具。
【考案の詳細な説明】
【技術分野】
【０００１】
本考案は、例えば、タンスやチェスト等の収納家具における引き出し内の収納空間を仕切るための引き出し用仕切具に関するものである。
【背景技術】
【０００２】
従来、この種の引き出し用仕切具として、上面が開口する四角箱状の引き出しの対向する内面間に架設され、該引き出し内の収納空間を仕切るための仕切部材を備えてなり、上記仕切部材は縦板材からなる可動部材及び縦板材からなる固定部材の二部材からなり、可動部材は固定部材に伸縮移動自在に設けられ、可動部材の外方端部及び固定部材の外方端部にそれぞれ上記引き出しの内面に当接可能な一対の当接部材を設けてなる構造のものが知られている。
【先行技術文献】
【特許文献】
【０００３】
【特許文献１】特開２００３−２３０４４５
【考案の概要】
【考案が解決しようとする課題】
【０００４】
しかしながらこれら従来構造の場合、上記縦板材からなる可動部材及び上記縦板材からなる固定部材の引き出しの底面に載置される設置面積は両縦板材の底面及び上記各当接部材の底面の面積となり、設置面積が少ないことにより引き出しの底面への仕切部材の設置の安定性が低下することがあるという不都合を有している。
【課題を解決するための手段】
【０００５】
本考案はこのような不都合を解決することを目的とするもので、本考案のうちで、請求項１記載の考案は、上面が開口する四角箱状の引き出しの対向する内面間に架設され、該引き出し内の収納空間を仕切るための仕切部材を備えてなり、上記仕切部材は縦板材からなる可動部材及び鞘状材からなる固定部材の二部材からなり、該縦板材と該鞘状材との内方端部同士の嵌合により該可動部材は該固定部材に伸縮移動自在に設けられ、該可動部材の縦板材の外方端部及び該固定部材の鞘状材の外方端部にそれぞれ上記引き出しの内面に当接可能な一対の当接部材を設け、該固定部材の鞘状材内に該可動部材及び該固定部材を外方に弾圧可能なバネ部材を内装配置し、該縦板材と一方の当接部材との交差角部及び該鞘状材と他方の当接部材との交差角部にそれぞれ引き出しの底面に載置可能な左右一対の設置面材を設けてなることを特徴とする引き出し用仕切具にある。
【０００６】
又、請求項２記載の考案は、上記左右一対の設置面材はそれぞれ略三角板状材からなることを特徴とするものであり、又、請求項３記載の考案は、上記可動部材と上記固定部材との伸長限度を規制する位置規制機構を設けてなることを特徴とするものであり、又、請求項４記載の考案は、上記位置規制機構として、上記固定部材の上記鞘状材は左右一対の側面材及び上下の水平面材からなり、該側面材に係止穴部を形成し、上記可動部材の縦板材に弾性片部を形成すると共に該弾性片部に該係止穴部に係脱可能な嵌脱凸部を形成してなることを特徴とするものであり、又、請求項５記載の考案は、上記バネ部材は上記鞘状材に内装可能な波状の帯板材からなることを特徴とするものである。
【考案の効果】
【０００７】
本考案は上述の如く、請求項１記載の考案にあっては、上面が開口する四角箱状の引き出し内に洋服や下着、靴下、小物類等の収納品を整理収納するに際し、引き出しの対向する内面間に引き出し内の収納空間を仕切るための仕切部材を架設し、引き出し内の収納空間を間仕切りすることになり、上記仕切部材は縦板材からなる可動部材及び鞘状材からなる固定部材の二部材からなり、縦板材と鞘状材との内方端部同士の嵌合により可動部材は固定部材に伸縮移動自在に設けられ、可動部材の縦板材の外方端部及び固定部材の鞘状材の外方端部にそれぞれ上記引き出しの内面に当接可能な一対の当接部材を設け、固定部材の鞘状材内に可動部材及び固定部材を外方に弾圧可能なバネ部材を内装配置し、縦板材と一方の当接部材との交差角部及び鞘状材と他方の当接部材との交差角部にそれぞれ引き出しの底面に載置可能な左右一対の設置面材を設けているから、縦板材と鞘状材との内方端部同士の嵌合により可動部材は固定部材に伸縮移動することができ、引き出しの対向する内面間の長さサイズに対応することができ、かつ、固定部材の鞘状材内のバネ部材により可動部材及び固定部材を外方に弾圧することにより仕切部材を引き出し内に張架状態で強固に固定配置することができ、さらに、縦板材と一方の当接部材との交差角部及び鞘状材と他方の当接部材との交差角部にそれぞれ引き出しの底面に載置可能な左右一対の設置面材により可動部材及び固定部材の起立の安定性を向上することができ、仕切部材の設置の安定性を高めることができ、引き出し内の仕切を確実に行うことができる。
【０００８】
又、請求項２記載の考案にあっては、上記左右一対の設置面材はそれぞれ略三角板状材からなるので、仕切部材を引き出しの底面に確実に起立設置することができ、又、請求項３記載の考案にあっては、上記可動部材と上記固定部材との伸長限度を規制する位置規制機構を設けているから、可動部材と固定部材との不測の離脱を防ぐことができ、又、請求項４記載の考案にあっては、上記位置規制機構として、上記固定部材の鞘状材は左右一対の側面材及び上下の水平面材からなり、両側面材の一方の側面材の下部及び他方の側面材の上部に係止穴部を形成し、上記可動部材に弾性片部を形成すると共に弾性片部の外面側に係止穴部に係脱可能な嵌脱凸部を形成しているから、位置規制機構の構造を簡素化することができ、係止穴部と嵌脱凸部との嵌合係止により可動部材と固定部材との伸長限度を確実に規制することができると共に弾性片部の反り弾性により係止穴部と嵌脱凸部との嵌脱を容易に行うことができ、可動部材と固定部材との組付けを容易に行うことができ、又、請求項５記載の考案にあっては、上記バネ部材は上記鞘状材に内装可能な波状の帯板材からなるので、可動部材及び固定部材を伸縮移動することができ、仕切部材を引き出し内に良好に配置することができる。
【図面の簡単な説明】
【０００９】
【図１】本考案の実施の形態例の全体斜視図である。
【図２】本考案の実施の形態例の全体縦断面図である。
【図３】本考案の実施の形態例の全体平面図である。
【図４】本考案の実施の形態例の全体平断面図である。
【図５】本考案の実施の形態例の横断面図である。
【図６】本考案の実施の形態例の分解斜視図である。
【図７】本考案の実施の形態例の部分断面図である。
【図８】本考案の実施の形態例の部分断面図である。
【図９】本考案の実施の形態例の縦断面図である。
【図１０】本考案の実施の形態例の使用状態の平面図である。
【図１１】本考案の実施の形態例の使用状態の斜視図である。
【考案を実施するための形態】
【００１０】
図１乃至図１１は本考案の実施の形態例を示し、Ｗは収納家具、Ｈは引き出し、１は仕切部材であって、この場合、引き出しＨは、上面が開口する四角箱状に形成され、仕切部材１は引き出しＨの対向する内面Ｎ・Ｎ間に架設され、収納品Ｓを整理収納するに際して引き出しＨ内の収納空間を仕切ることになる。
【００１１】
この場合、図１、図６の如く、上記仕切部材１は縦板材２ａからなる可動部材２及び鞘状材３ａからなる固定部材３の二部材からなり、縦板材２ａと鞘状材３ａとの内方端部同士の嵌合により可動部材２は固定部材３に伸縮移動自在に設けられ、可動部材２の縦板材２ａの外方端部及び固定部材３の鞘状材３ａの外方端部にそれぞれ上記引き出しＨの内面Ｎ・Ｎに当接可能な四角板状の一対の当接部材２ｂ・３ｂを設けて構成している。
【００１２】
４はバネ部材であって、この場合、図２、図６の如く、上記鞘状材３ａに内装可能な波状の帯板材からなり、固定部材３の鞘状材３ａ内に可動部材２及び固定部材３を外方に弾圧可能なバネ部材４が内装配置されている。
【００１３】
この場合、図１、図３の如く、上記縦板材２ａと一方の当接部材２ｂとの交差角部及び鞘状材３ａと他方の当接部材３ｂとの交差角部にそれぞれ引き出しＨの底面に載置可能な左右一対の設置面材２ｃ・２ｃ・３ｃ・３ｃを設けて構成している。
【００１４】
この場合、上記左右一対の設置面材２ｃ・２ｃ・３ｃ・３ｃはそれぞれ略三角板状材から構成されている。
【００１５】
５は位置規制機構であって、上記可動部材２と上記固定部材３との伸長限度を規制する構造となっており、この場合、図６、図７、図８の如く、上記鞘状材３ａは左右一対の側面材３ｄ・３ｄ及び上下の水平面材３ｅ・３ｅからなり、両側面材３ｄ・３ｄの一方の側面材３ｄの下部及び他方の側面材３ｄの上部に係止穴部５ａ・５ｂを形成し、上記可動部材２に弾性片部５ｃ・５ｄを形成すると共に弾性片部５ｃ・５ｄの外面側に係止穴部５ａ・５ｂに係脱可能な嵌脱凸部５ｅ・５ｆを形成して構成している。
【００１６】
この実施の形態例は上記構成であるから、図１０、図１１の如く、上面が開口する四角箱状の引き出しＨ内に洋服や下着、靴下、小物類等の収納品Ｓを整理収納するに際し、引き出しＨの対向する内面Ｎ・Ｎ間に引き出しＨ内の収納空間を仕切るための仕切部材１を架設し、引き出しＨ内の収納空間を間仕切りすることになり、上記仕切部材１は縦板材２ａからなる可動部材２及び鞘状材３ａからなる固定部材３の二部材からなり、縦板材２ａと鞘状材３ａとの内方端部同士の嵌合により可動部材２は固定部材３に伸縮移動自在に設けられ、可動部材２の縦板材２ａの外方端部及び固定部材３の鞘状材３ａの外方端部にそれぞれ上記引き出しＨの内面Ｎ・Ｎに当接可能な一対の当接部材２ｂ・３ｂを設け、固定部材３の鞘状材３ａ内に可動部材２及び固定部材３を外方に弾圧可能なバネ部材４を内装配置し、縦板材２ａと一方の当接部材２ｂとの交差角部及び鞘状材３ａと他方の当接部材３ｂとの交差角部にそれぞれ引き出しＨの底面に載置可能な左右一対の設置面材２ｃ・２ｃ・３ｃ・３ｃを設けているから、図９の実線位置及び想像線位置に示す如く、縦板材２ａと鞘状材３ａとの内方端部同士の嵌合により可動部材２は固定部材３に伸縮移動することができ、引き出しＨの対向する内面Ｎ・Ｎ間の長さサイズに対応することができ、かつ、図１０の如く、固定部材３の鞘状材３ａ内のバネ部材４により可動部材２及び固定部材３を外方に弾圧することにより仕切部材１を引き出しＨ内に張架状態で強固に固定配置することができ、さらに、図１、図３、図９の如く、縦板材２ａと一方の当接部材２ｂとの交差角部及び鞘状材３ａと他方の当接部材３ｂとの交差角部にそれぞれ引き出しＨの底面に載置可能な左右一対の設置面材２ｃ・２ｃ・３ｃ・３ｃにより可動部材２及び固定部材３の起立の安定性を向上することができ、仕切部材１の設置の安定性を高めることができ、引き出しＨ内の仕切を確実に行うことができる。
【００１７】
又、この場合、図１、図４の如く、上記左右一対の設置面材２ｃ・２ｃ・３ｃ・３ｃはそれぞれ略三角板状材からなるので、仕切部材１を引き出しＨの底面に確実に起立設置することができ、又、この場合、図１の如く、上記可動部材２と上記固定部材３との伸長限度を規制する位置規制機構５を設けているから、可動部材２と固定部材３との不測の離脱を防ぐことができ、又、この場合、図２、図６、図７、図８の如く、上記位置規制機構５として、上記固定部材３の鞘状材３ａは左右一対の側面材３ｄ・３ｄ及び上下の水平面材３ｅ・３ｅからなり、両側面材３ｄ・３ｄの一方の側面材３ｄの下部及び他方の側面材３ｄの上部に係止穴部５ａ・５ｂを形成し、上記可動部材２に弾性片部５ｃ・５ｄを形成すると共に弾性片部５ｃ・５ｄの外面側に係止穴部５ａ・５ｂに係脱可能な嵌脱凸部５ｅ・５ｆを形成しているから、位置規制機構５の構造を簡素化することができ、係止穴部５ａ・５ｂと嵌脱凸部５ｅ・５ｆとの嵌合係止により可動部材２と固定部材３との伸長限度を確実に規制することができると共に弾性片部５ｃ・５ｄの反り弾性により係止穴部５ａ・５ｂと嵌脱凸部５ｅ・５ｆとの嵌脱を容易に行うことができ、可動部材２と固定部材３との組付けを容易に行うことができ、又、この場合、図６の如く、上記バネ部材４は上記鞘状材３ａに内装可能な波状の帯板材からなるので、可動部材２及び固定部材３を伸縮移動することができ、仕切部材１を引き出しＨ内に良好に配置することができる。
【００１８】
尚、本考案は上記の形態例に限られるものではなく、仕切部材１、可動部材２、固定部材３、設置面材２ｃ・２ｃ・３ｃ・３ｃ、バネ部材４、位置規制機構５の構造や形態等は適宜変更して設計されるものである。
【００１９】
以上の如く、所期の目的を充分達成することができる。
【符号の説明】
【００２０】
Ｈ    引き出し
Ｎ    内面
１    仕切部材
２    可動部材
２ａ    縦板材
２ｂ    当接部材
２ｃ    設置面材
３    固定部材
３ａ    鞘状材
３ｂ    当接部材
３ｃ    設置面材
４    バネ部材
５    位置規制機構
５ａ    係止穴部
５ｂ    係止穴部
５ｃ    弾性片部
５ｄ    弾性片部
５ｅ    嵌脱凸部
５ｆ    嵌脱凸部
【図１】
0003193975.tif 000003
【図２】
0003193975.tif 000004
【図３】
0003193975.tif 000005
【図４】
0003193975.tif 000006
【図５】
0003193975.tif 000007
【図６】
0003193975.tif 000008
【図７】
0003193975.tif 000009
【図８】
0003193975.tif 000010
【図９】
0003193975.tif 000011
【図１０】
0003193975.tif 000012
【図１１】
0003193975.tif 000013